(57)【要約】      （修正有）【課題】複数の基本色から選択して別の混合色を作成するために、混合比率が一覧表示されたシートを提供する。【解決手段】複数の基本色のうち少なくとも２色の選択色を混色して、前記選択色と異なる混合色を作成するための混色比率が１枚のシートに一覧表示された混色一覧表示シートであって、前記シートには縦と横に整列された複数の区画が表示され、前記シートの複数の縦列の内の何れかの１列には、各区画に複数の基本色がそれぞれ表示された基本色表示縦列が形成され、前記シートの複数の横列の内の何れかの１列には、各区画に複数の基本色がそれぞれ表示された基本色表示横列が形成され、各区画には、当該区画の左右何れかの方向に形成された基本色表示縦列に表示された基本色と、当該区画の上下何れかの方向に形成された基本色表示横列に表示された基本色とが所定の混合比率で混合されてなる混合色がカラー印刷されているとともに、前記所定の混合比率が数字で印刷されている。【選択図】図１
0003165295.tif 000002
【実用新案登録請求の範囲】
【請求項１】
複数の基本色のうち少なくとも２色を選択色として選択して、これらの選択色を混色して、前記選択色と異なる混合色を作成するための混色比率が１枚のシートに一覧表示された混色一覧表示シートであって、
前記シートには縦と横に整列された複数の区画が表示され、
前記シートの複数の縦列の内の何れかの１列には、各区画に複数の基本色がそれぞれ表示された基本色表示縦列が形成され、
前記シートの複数の横列の内の何れかの１列には、各区画に複数の基本色がそれぞれ表示された基本色表示横列が形成され、
各区画には、
当該区画の左右何れかの方向に形成された基本色表示縦列に表示された基本色と、当該区画の上下何れかの方向に形成された基本色表示横列に表示された基本色とが所定の混合比率で混合されてなる混合色がカラー印刷されているとともに、前記所定の混合比率が数字で印刷されていることを特徴とする混色一覧表示シート。
【請求項２】
基本色としては１１色が設定され、
混合色としては、各基本色の組み合わせごとに、３つの異なる混合比率で混合された３色が設定されていることを特徴とする請求項１に記載の混色一覧表示シート。
【請求項３】
前記３つの異なる混合比率は、１：１、１：５、１：１０であることを特徴とする請求項２に記載の混色一覧表示シート。
【請求項４】
前記基本色としては、
きいろ、
レモンいろ
きみどり、
ビリジアン、
あお、
あいいろ、
あか、
しゅいろ、
ちゃいろ、
おうどいろ、
しろ
の１１色が設定されていることを特徴とする請求項１乃至３の何れか１項に記載の混色一覧表示シート。
【請求項５】
前記混色一覧表示シートは、Ａ３規格の用紙が横長に設定されていることを特徴とする請求項１乃至４の何れか１項に記載の混色一覧表示シート。
【考案の詳細な説明】
【技術分野】
【０００１】
本考案は、水彩絵具などの複数の色を混合して、別の色を作成するというような自分で色を作成する学習等に適した一覧表形式のシート状の教材に関するものである。
【背景技術】
【０００２】
他種類の色の名前を学習するためのカードや、マンセルカラー番号を確認するための色見本を示したカードが知られている。
また、特許文献１には、３色以上の色見本を並べて示した１枚の色見本カードであって、この３色以上の色見本には、その色見本カードの基本となる基調色、その基調色に変化を
与えることができる副調色、強調色をそれぞれ１種又は２種以上有し、前記基調色、前記副調色、及び前記強調色の色相が同じであり、前記基調色、前記副調色、及び前記強調色の色調の濃さの順序は、（ａ）基調色＜副調色＜強調色、又は、（ｂ）基調色＞副調色＞強調色、のいずれかであり、基調色色見本、副調色色見本、強調色色見本が色見本カード上に並列に示され、その色見本カード中央部分にある色見本が基調色色見本であり、その基調色色見本の一方には、副調色色見本があり、これとは異なる方には、強調色色見本があり、前記基調色見本の面積は、前記副調色色見本の面積、及び前記強調色色見本の面積より大きいことを特徴とする色見本カードが開示されている。
【先行技術文献】
【特許文献】
【０００３】
【特許文献１】特許第４４４３１５４号公報
【考案の概要】
【考案が解決しようとする課題】
【０００４】
従来の色見本カードでは、色の種類や名前は知ることができるが、実際に作成したい色がある場合に、どの色とどの色を、どのような混合比率で混合したら良いのか、手軽に知ることはできなかった。
前記特許文献１に記載された発明では、実際に作成したい色がある場合に、どの色とどの色を、どのような混合比率で混合したら良いのか、手軽に知ることはできなかった。
【０００５】
特に、混色によって別の色を作成する場合には、種々の色は、どのような有彩色どうしを、どのような混合比率で混色することで作成でるのかを例示することが有効である。
また、従来のようなカード形式の色見本では、一枚ずつめくる手間がかかるという問題や、製造コストがかさむという問題がある。
そこで、本考案においては、複数の基本色のうち少なくとも２色を選択色として選択して、これらの選択色を混色して、前記選択色と異なる混合色を作成する場合に利用できる一覧表示形式のシートを提案することを目的とするものである。
【課題を解決するための手段】
【０００６】
本考案に係る請求項１の混色一覧表示シートは、
複数の基本色のうち少なくとも２色を選択色として選択して、これらの選択色を混色して、前記選択色と異なる混合色を作成するための混色比率が１枚のシートに一覧表示された混色一覧表示シートであって、
前記シートには縦と横に整列された複数の区画が表示され、
前記シートの複数の縦列の内の何れかの１列には、各区画に複数の基本色がそれぞれ表示された基本色表示縦列が形成され、
前記シートの複数の横列の内の何れかの１列には、各区画に複数の基本色がそれぞれ表示された基本色表示横列が形成され、
各区画には、
当該区画の左右何れかの方向に形成された基本色表示縦列に表示された基本色と、当該区画の上下何れかの方向に形成された基本色表示横列に表示された基本色とが所定の混合比率で混合されてなる混合色がカラー印刷されているとともに、前記所定の混合比率が数字で印刷されていることを特徴としている。
【０００７】
請求項２の混色一覧表示シートでは、
基本色としては１１色が設定され、
混合色としては、各基本色の組み合わせごとに、３つの異なる混合比率で混合された３色が設定されている。
請求項３の混色一覧表示シートでは、
前記３つの異なる混合比率は、１：１、１：５、１：１０とされている。
【０００８】
請求項４の混色一覧表示シートでは、
前記基本色としては、
きいろ、
レモンいろ
きみどり、
ビリジアン、
あお、
あいいろ、
あか、
しゅいろ、
ちゃいろ、
おうどいろ、
しろ、
の１１色が設定されている。
【０００９】
請求項５の混色一覧表示シートは、Ａ３規格の用紙が横長に設定されている。
【考案の効果】
【００１０】
本考案の請求項１に係る混色一覧表示シートは、
複数の基本色のうち少なくとも２色を選択色として選択して、これらの選択色を混色して、前記選択色と異なる混合色を作成するための混色比率が１枚のシートに一覧表示された混色一覧表示シートであって、
前記シートは複数の縦線と複数の横線とによってそれぞれ区分されて複数の区画が表示され、
前記シートの複数の縦列の内の何れかの１列には、各区画に複数の基本色がそれぞれ表示された基本色表示縦列が形成され、
前記シートの複数の横列の内の何れかの１列には、各区画に複数の基本色がそれぞれ表示された基本色表示横列が形成され、
各区画には、
当該区画の左右何れかの方向に形成された基本色表示縦列に表示された基本色と、当該区画の上下何れかの方向に形成された基本色表示横列に表示された基本色とが所定の混合比率で混合されてなる混合色と、前記所定の混合比率とがそれぞれ表示されているので、一覧表に表示された混合色を作成したい場合には、その混合色が表示されている区画に表示された混合比率で、基本色を混合すればよく、混色による色の作成に便利である。
【００１１】
請求項２の混色一覧表示シートは、
基本色としては１１色が設定され、混合色としては、各基本色の組み合わせごとに、３つの異なる混合比率で混合された３色が設定されているので、３３０通りの混合比率で混合した色を知る事ができる。
請求項３の混色一覧表示シートは、
前記３つの異なる混合比率は、１：１、１：５、１：１０とされているので、
混合比率の違いによる色の違いを認識しやすい。
【００１２】
請求項４の混色一覧表示シートは、前記基本色としては、
きいろ、
レモンいろ
きみどり、
ビリジアン、
あお、
あいいろ、
あか、
しゅいろ、
ちゃいろ、
おうどいろ、
しろ、
の１１色が設定されているので、絵具やポスターカラーを用いた混色に便利である。
【００１３】
請求項５の混色一覧表示シートは、Ａ３規格の用紙が横長に設定されているので、多数の混合色を一覧表示形式で効率よく表示することができる。
【図面の簡単な説明】
【００１４】
【図１】本考案にかかる混色一覧表示シートの一例を示す全体平面図である。
【図２】実施例１における混色一覧表示シートの１つの区画の表示例を示す平面図である。
【図３】実施例２における混色一覧表示シートの１つの区画の表示例を示す平面図である。
【考案を実施するための形態】
【００１５】
以下に、本考案に係る混色一覧表示シートを実施するための形態を、図面を参照しながら説明する。
図１に示したように、本考案に係る混色一覧表示シート１は、例えばＡ３サイズの用紙を横長に設定して、複数の縦線１１と複数の横線１２とによって、複数の区画２がそれぞれ区分されている。
前記縦線１１と横線１２とは連続した線でなく、断続した線でもよい。また、縦線もしくは横線の少なくとも何れか一方を省略しても良い。
【００１６】
前記シートの複数の縦列の内の何れかの１列、例えば最も左方の縦列の各区画には、複数の基本色がそれぞれ表示されて、基本色表示縦列３が形成されている。
前記基本色表示縦列３の各区画には、上から順に以下の様に基本色が、色名とともにカラー印刷されて表示されている。
基本色は、
きいろ、
レモンいろ
きみどり、
ビリジアン、
あお、
あいいろ、
あか、
しゅいろ、
ちゃいろ、
おうどいろ、
しろ、
の１１色である。
前記シートの複数の横列の内の何れかの１列、例えば最も上段の横列の各区画には、複数の基本色がそれぞれ表示されて、基本色表示横列４が形成されている。
前記基本色表示横列４の各区画には、左から順に以下の様に基本色が、色名とともにカラー印刷されて表示されている。基本色は、前記基本色表示縦列３と同じ１１色である。
【００１７】
前記基本色表示縦列３の右側であって、且つ、前記基本色表示横列４の下側の各区画には、前記基本色表示縦列３の基本色と、前記基本色表示横列４の基本色を混色することによって得られる色がカラー印刷されるとともに、前記基本色表示縦列３の基本色と、前記基本色表示横列４の基本色との混色比率が数字で、例えば「１：１」、「１：５」、「１：10」と表示されている。
【００１８】
前記基本色表示縦列３の１番目の上の黄色の区画の右横方向、且つ、前記基本色表示横列４の最も左の区画の下方向の区画２Ａは、同じ色同士の混色となるので、同じ色の円２Ｂが表示されている。
同様に、同じ色同士の混色となる他の区画にも同じ色の円２Ｂが表示されている。
【００１９】
前記区画２Ａを除いた区画２は、さらに縦もしくは横に３分割して、３つの小区画を形成し、これらの小区画には、前記基本色表示縦列の色と、前記基本色表示横列の色との混合比率が数字で表示されているとともに、その混合比率で混色して作成した色がカラー印刷されている。
前記３つの小区画には、例えば、それぞれ「１：１」、「１：５」、「１：10」と混合比率が表示されるとともに、その混合比率で混色して作成した色がカラー印刷されている。
以上の構成により、３３０通りの混色の色見本をカラー印刷で示して、その色をつくるための混合比率を数値で示す事ができる。
なお、前記３３０通りの混色の中には、ほぼ同一、または同一の色となっているものもある。
【実施例１】
【００２０】
実施例１に係る混色一覧表示シートを以下に説明する。
実施例１に係る混色一覧表示シートは、図１に示した様に、Ａ３サイズの用紙を横長に設定して、縦横それぞれ１１の区画に区分されており、最も左方の縦列には基本色表示縦列３が形成され、最も上段の横列の各区画には基本色表示横列４が形成されている。
前記基本色表示縦列３の色と、前記基本色表示横列４の色とが、同色となる区画２Ａには、同じ色の円２Ｂが表示されている。
前記同色となる１１個の区画２Ａと、前記基本色表示縦列３の１１個の区画と、前記基本色表示横列４の１１個の区画とを除いた残りの１１０個の区画は、図２に示したように、混色の色見本を示した混色色見本区画２ｍとして、基本色の混合比率が数字で表示されているとともに、その混合比率で混色して作成した色がカラー印刷されている。
【００２１】
図２に示したように、前記区画２ｍは、さらに縦方向に３分割されて、３つの小区画２１，２２，２３が形成され、これらの小区画２１，２２，２３には、前記基本色表示縦列の色と、前記基本色表示横列の色との混合比率が数字で表示されているとともに、その混合比率で混色して作成した色がカラー印刷されている。例えば、前記３つの小区画２１，２２，２３には、それぞれ「１：１」、「１：５」、「１：10」と混合比率が表示されるとともに、その混合比率で混色して作成した色がカラー印刷されている。
以上の構成により、３３０通りの混色による色見本をカラー印刷で示して、その色をつくるための混合比率を数値で示す事ができる。
【実施例２】
【００２２】
実施例２の場合は、図３に示したように、前記区画２ｍは、横方向に３分割されて、３つの小区画が形成され、これらの小区画には、前記基本色表示縦列の色と、前記基本色表示横列の色との混合比率が、例えば、それぞれ「１：１」、「１：５」、「１：10」と混合比率が表示されるとともに、その混合比率で混色して作成した色がカラー印刷されている。
【００２３】
なお、前記３分割された小区画に表示される混合比率は、「１：１」、「１：５」、「１：10」に限らず、種々の比率を表示することができる。また、混合比率は、整数比に限らず、百分率等で表示してもよい。また、前記区画２ｍを３分割することに限定されるものではなく、２分割でも、４分割以上でもよい。また、前記基本色には、ホワイトやブラックを加えてもよく、基本色は１１色に限らず、１０色以下や１２色以上としてもよい。
【符号の説明】
【００２４】
１  混色一覧表示シート
２  区画
２ｍ  混色色見本区画
２１、２２、２３  小区画
３  基本色表示縦列
４  基本色表示横列
【図１】
0003165295.tif 000003
【図２】
0003165295.tif 000004
【図３】
0003165295.tif 000005